(57)【特許請求の範囲】
【請求項１】
光ファイバ（４１、４１ｂ）を収納するケース状のモジュール本体（３０）の一側部に、前記光ファイバをコネクタ接続可能に成端する光コネクタ（４０）が取り付けられてなる光モジュールにおいて、
前記モジュール本体の、前記光コネクタに対向するモジュール本体後壁部（３３）の両側から前記光コネクタに向けて延在する両側壁部（３１、３２）に、ヒンジ部（５７）によって開閉自在の蓋（３１、３２）が設けられ、
前記モジュール本体後壁部に、ヒンジ部（６０）によって開閉自在の後蓋（３３）が設けられ、
前記モジュール本体の内部が、前記モジュール本体後壁部側から前記光コネクタ側にわたって延在する仕切材（３６）によって仕切られ、
前記仕切材と、該仕切材に沿ってその両側に延在された前記側壁部との間にそれぞれ画成された収納空間（２１、２２）の間を連通させる連通穴（３６ａ）が、前記仕切材と前記モジュール本体後壁部の後蓋との間に形成され、
前記連通穴は、前記仕切材において前記後蓋に臨む端部に形成され、前記後蓋によって一側部が開閉されるように形成されていることを特徴とする光モジュール。
【請求項２】
前記モジュール本体は、前記仕切材およびこの仕切材の外周部に突設された外周壁（３７）からならなるフレーム部（５１）と、このフレーム部の外側に装着される蓋部材（５２）とを備え、
前記蓋部材は、前記両側壁部の蓋と、前記後蓋とを、前記モジュール本体に装着される取付板部（５３）に対して連結した構成であり、前記フレーム部に対して一括して着脱できるように構成されていることを特徴とする請求項１に記載の光モジュール。
【発明の詳細な説明】
【０００１】
【発明の属する技術分野】
本発明は、光モジュールに関するものである。
【０００２】
【従来の技術】
図９（ａ）、（ｂ）、（ｃ）は従来例の光モジュールを示す。
図９（ａ）、（ｂ）、（ｃ）において、光モジュール１は、外観薄板ケース状のモジュール本体２の一側部に実装された光コネクタ３によって、前記モジュール本体２内に引き込まれた光ファイバ４をコネクタ接続可能に成端するようになっている。前記モジュール本体２の内部は、仕切材５によって仕切られ、その厚さ方向に前記仕切材５を介して二つの収納空間６、７が画成されている。前記仕切材５の一側に画成された収納空間６には前記光ファイバ４の余長が湾曲収納され、前記仕切材５の他側に画成された収納空間７には前記光コネクタ３と接続された内部光ファイバ８と前記光ファイバ４との光接続部９（光コネクタ、融着接続部等）が収納される。光ファイバ４は、仕切材５に開口された連通穴１０を介して、両収納空間６、７間に連通させて配線されるようになっている。内部光ファイバ８の一端は、例えば１：４、１：８等に分岐されており、前記光ファイバ４先端を、前記内部光ファイバ８の分岐されていない側の端部と接続することで、前記光ファイバ４が光コネクタ３に対して複数に分岐して接続されるようになっている。
光ファイバ４としては、端末が、光コネクタ３に対して光モジュール１内側からコネクタ接続可能に成端された複数の分岐光ファイバに分岐されたものも採用可能であり、この場合は、光モジュール１に引き込んだ光ファイバ４の端末を、直接、光コネクタ３に接続することができ、内部光ファイバ８との接続を省略できる。
【０００３】
両収納空間６、７間が仕切材５によって仕切られていることで、例えば、収納空間６内の光ファイバ４の余長の取り出し等の作業を、別の収納空間７内に収納されている光ファイバ、光接続部９や前記光カプラ等の光部品と干渉すること無く、効率良く行える等の利点がある。
モジュール本体２は、一側部に着脱自在に設けられた蓋１１によって開閉されるトレー状であり、前記蓋１１を取り外すことで、まず、収納空間６を開放することができ、また、収納空間６を開放した状態にて、前記モジュール本体２とは別体のシート等からなる前記仕切材５を取り出すことで、収納空間７を開放することができ、これにより光ファイバ４や、光接続部９の収納、取り出し等の作業を行える。前記蓋１１は、モジュール本体２に対して係脱自在の弾性爪１１ａにより開閉自在（着脱自在）になっている。
【０００４】
【発明が解決しようとする課題】
ところで、前述のような光モジュール１では、モジュール本体２の片側のみが開放される構成であるので、光接続部９を収納する収納空間７の開放や、開放から蓋１１を閉じるまでの作業に手間が掛かるといった不満があった。また、仕切材５を介して両側の収納空間６、７に光ファイバ４を連通させる作業、両収納空間６、７に連通させた光ファイバ４を取り出す作業では、仕切材５を取り出す必要があり、作業性が悪いといった不満があった。
さらに、モジュール本体２から取り出した蓋１１を紛失したり、誤って落としたり踏み付けて破損させるケースがあるため、紛失や破損の防止でき、しかも、モジュール本体２に対して簡単に着脱できる技術の開発が求められていた。
【０００５】
本発明は、前述の課題に鑑みてなされたもので、モジュール本体の両側壁部にヒンジ部により開閉自在の蓋を備え、両側開放を実現したことにより、モジュール本体内を仕切る仕切材の両側の収納空間での作業の作業性の向上、両収納空間の間に連通される光ファイバの取り扱い作業性の向上を実現できる光モジュールを提供することを目的とする。
【０００６】
【課題を解決するための手段】
本発明では、光ファイバを収納するケース状のモジュール本体の一側部に、前記光ファイバをコネクタ接続可能に成端する光コネクタが取り付けられてなる光モジュールにおいて、前記モジュール本体の、前記光コネクタに対向するモジュール本体後壁部の両側から前記光コネクタに向けて延在する両側壁部に、ヒンジ部によって開閉自在の蓋が設けられ、前記モジュール本体後壁部に、ヒンジ部によって開閉自在の後蓋が設けられ、前記モジュール本体の内部が、前記モジュール本体後壁部側から前記光コネクタ側にわたって延在する仕切材によって仕切られ、前記仕切材と、該仕切材に沿ってその両側に延在された前記側壁部との間にそれぞれ画成された収納空間の間を連通させる連通穴が、前記仕切材と前記モジュール本体後壁部の後蓋との間に形成され、前記連通穴は、前記仕切材において前記後蓋に臨む端部に形成され、前記後蓋によって一側部が開閉されるように形成されていることを特徴とする光モジュールを前記課題の解決手段とした。
請求項２記載の発明は、請求項１記載の光モジュールにおいて、前記モジュール本体は、前記仕切材およびこの仕切材の外周部に突設された外周壁からならなるフレーム部と、このフレーム部の外側に装着される蓋部材とを備え、前記蓋部材は、前記両側壁部の蓋と、前記後蓋とを、前記モジュール本体に装着される取付板部に対して連結した構成であり、前記フレーム部に対して一括して着脱できるように構成されていることを特徴とする。
【０００７】
【発明の実施の形態】
以下、本発明の１実施の形態を図面を参照して説明する。
図１は、本発明に係る光モジュール２０を示す図であって、（ａ）は正面図、（ｂ）は光コネクタ４０側から見た側面図である。図２（ａ）は、図１（ｂ）において蓋３１（図示略）を開放して、モジュール本体３０内の一方の収納空間２１の内部を示した正面図、図２（ｂ）は押え片２７近傍を示す拡大斜視図である。図３（ａ）は光モジュール２０を示す平断面図（但し、図２に示される収納空間２１内の湾曲壁２３、光部品ホルダ２４、２５等の図示を省略している）、図３（ｂ）は図２（ａ）に対向する反対側の蓋２２を開放して、収納空間２２の内部を示した背面図である。図４は、モジュール本体３０の対向する両側の側壁部である蓋３１、３２を開放した状態を示す図であって、（ａ）は光コネクタ４０側から見た側面図、（ｂ）はヒンジ部５７近傍を示す拡大図である。図６は、モジュール本体後壁部である蓋３３（以下「後蓋３３」と称する場合がある）を開放した状態を示す正面図である。
【０００８】
図１〜図６において、光モジュール２０は、外観薄板ケース状のモジュール本体３０の一側部に、光コネクタアダプタである光コネクタ４０が取り付けられた構成であり、モジュール本体３０内に収納された光ファイバ４１を、前記光コネクタ４０によってコネクタ接続可能に成端するようになっている。前記光ファイバ４１は、モジュール本体３０の前記光コネクタ４０が取り付けられたコネクタ取付壁３４に開口された配線穴３５を介して、光モジュール２０の外側に引き出すようにして配線される。
【０００９】
前記モジュール本体３０の内部は、該モジュール本体３０の厚さ方向中央部に設けられた仕切壁である仕切材３６によって仕切られており、この仕切材３６を介してその両側に二つの収納空間２１、２２が画成されている。コネクタ取付壁３４近傍では、前記仕切材３６が湾曲されて収納空間２１が拡張されており、この拡張部分に、モジュール本体３０のコネクタ取付壁３４に開口されたコネクタ穴３４ａに嵌め込まれた前記光コネクタ４０の一部が収納されている。
【００１０】
一方の収納空間２２（以下「入力側収納空間２２」と称する場合がある）には、光ファイバ４１の余長が湾曲収納される。他方の収納空間２１（以下「出力側収納空間２１」と称する場合がある）では、仕切材３６の一側部を切り欠いた形状の連通穴３６ａを介して前記入力側収納空間２２との間に前記光ファイバ４１が連通、配線され、この光ファイバ４１の先端に設けられた光コネクタプラグである光コネクタ４２が前記光コネクタ４０に接続される。これにより、光ファイバ４１は、光コネクタ４０を介して、外部から別途光コネクタ４０にコネクタ接続される光ファイバに対して、コネクタ接続可能に成端される。
【００１１】
光ファイバ４１は、多心光ファイバコード（ここでは、４心光ファイバコード）等からなる多心光ファイバ部４１ａと、この多心光ファイバ部４１ａの端末から、分岐部４３を介して例えば１：４、１：８等に分岐（ここでは１：４分岐）された複数本（ここでは４本）の分岐光ファイバ４１ｂとを備えて構成されている。各分岐光ファイバ４１ｂの前記多心光ファイバ部４１ａに対する逆側の端末は、前記光コネクタ４２によって、光コネクタ４０に対してコネクタ接続可能に成端されている。分岐光ファイバ４１ｂとしては、光ファイバコード、光ファイバ心線等が採用される。また、分岐光ファイバ４１ｂとしては単心のものに限定されず、多心のものも採用可能である。
【００１２】
図２（ａ）、図３（ｂ）等において、具体的には、４心光ファイバコードである光ファイバ４１（多心光ファイバ部４１ａ）端末を分岐部４３を介して分岐した４本の前記分岐光ファイバ４１ｂは、単心光ファイバであり、それぞれ光コネクタ４２によって、モジュール本体３０内側から前記光コネクタ４０に接続されている。また、図１〜図６に示した光モジュール２０では、１：４に分岐された光ファイバ４１を２本収納しており、各光ファイバ４１端末の４本の分岐光ファイバ４１ｂを、モジュール本体３０のコネクタ取付壁３４に取り付けられた合計８個の光コネクタ４０に対して、それぞれモジュール本体３０内側からコネクタ接続している。
【００１３】
光モジュール２０に収納する光ファイバとしては、前記光ファイバ４１に限定されず、例えば、途中に介在された光カプラによって、１：４、１：８等に分岐された光ファイバを採用し、分岐された複数本の分岐光ファイバをモジュール本体３０内側から光コネクタ４０にコネクタ接続すること等も可能である。この場合、光カプラは、収納空間２１内に設けられた光部品ホルダ２４、２５に保持して収納空間２１内に安定収納する。前記光部品ホルダ２４、２５は、仕切材３６に突設された突起からなり、融着接続部や光コネクタ等の光接続部を取り出し可能に保持することができる。光部品ホルダ２４、２５には、前記光カプラ以外、例えば、光フィルタ等、各種光部品を保持することができる。収納空間２１では、収納する光部品を光部品ホルダ２４、２５に保持することで安定収納することができ、光ファイバ４１の入れ替えや取り出し等の作業に伴う移動による接触、外力として光モジュール２０に加わる振動等が光部品の光特性に悪影響を与えることを極力防止できる。
【００１４】
また、前記入力側収納空間２２は、出力側収納空間２１内を仕切る隔壁３５ａによって画成された通線穴３５ｂを介して、コネクタ取付壁３４の配線穴３５と連通されているため、入力側収納空間２２から光モジュール２０外側に引き出すようにして配線される光ファイバ４１は、出力側収納空間２１内に露出せず、出力側収納空間２１内の光ファイバ４１と絡み合う等の不都合を生じない。
【００１５】
各光ファイバ４１の分岐部４３（図３（ｂ）参照）は、入力側収納空間２２内に設けられた分岐固定部２６に保持される。前記分岐固定部２６は仕切材３６に固定されており、前記分岐部４３を取り出し可能に保持するようになっている。配線穴３５を介してモジュール本体３０の内外に連通、配線された光ファイバ４１（多心光ファイバ部４１ａ）は、配線穴３５に取り付けられた引留部品３８に挿通して固定され、引き留められているため、例えば、光モジュール２０の外側にて光ファイバ４１に作用した引っ張り力が光モジュール２０内部の光ファイバ４１に伝達されることを防止できる。
【００１６】
各光ファイバ４１（多心光ファイバ部４１ａ）から分岐部４３を介して分岐された複数本の分岐光ファイバ４１ｂは、入力側収納空間２２内にて前記仕切材３６に複数突設された湾曲壁２３に添わせるようにして余長が湾曲処理されるとともに、その端末が仕切材３６の連通穴３６ａを介して出力側収納空間２１に引き込まれて、モジュール本体３０のコネクタ取付壁３４に複数取り付けられた光コネクタ４０にそれぞれ接続される。これにより、光ファイバ４１の多心の光線路が、分岐光ファイバ４１ｂ単位で光コネクタ４０によってコネクタ接続可能に成端される。
【００１７】
なお、モジュール本体３０への光ファイバ４１の収納本数、光ファイバ４１（多心光ファイバ部４１ａ）からの分岐光ファイバ４１ｂの分岐数等は、図示したものに限定されず、適宜変更可能であることは言うまでも無い。また、モジュール本体３０に複数本引き入れた各光ファイバ４１からの分岐光ファイバ４１ｂの分岐数は一定である必要は無く、各光ファイバ４１毎に異なっていても良い。
【００１８】
図２（ａ）、（ｂ）等において、符合２７は押え片であり、仕切材３６から立ち上げるようにして形成した突起であり、前記仕切材３６から立ち上げた先端を屈曲した部分と前記仕切材３６との間に光ファイバ４１を押え込むようになっている。押え片２７は、仕切材３６から突設されたものに限定されず、仕切材３６に突設された湾曲壁２３や、仕切材３６の外側にリブ状に突設されたコネクタ取付壁３４、上壁部５５等から突設しても良い。また、図２（ａ）に示す出力側収納空間２１のみならず、入力側収納空間２２にも形成されている。
【００１９】
モジュール本体３０は、仕切材３６並びにこの仕切材３６の外周部にリブ状に突設された外周壁３７からならなるフレーム部５１と、このフレーム部５１の外側に装着される蓋部材５２とを備えて構成されている。
ここで、図７（ａ）、（ｂ）および図８（ａ）、（ｂ）に示すように、前記蓋部材５２は、モジュール本体３０の厚さ方向両側に開閉自在に設けられた蓋３１、３２と、前記光コネクタ４０に対向する後端部に開閉自在に設けられたモジュール本体後壁部である蓋３３（後蓋）とを、モジュール本体３０の底部の下壁部５６に装着される取付板部５３に対して、それぞれヒンジ部５７、６０を介して回転自在に連結した構成であり、フレーム部５１に対して一括して着脱できるようになっている。
【００２０】
フレーム部５１を構成する外周壁３７は、コネクタ取付壁３４と上壁部５５と下壁部５６とからなり、モジュール本体３０の後端部の後蓋３３を除く外周部を形成する枠状になっている。上壁部５５および下壁部５６は、仕切材３６を介して対向する上下（図２（ａ）、図３（ｂ）等において上下）に設けられ、細長形状のコネクタ取付壁３４の長手方向端部からモジュール本体３０後端部まで延在されている。各外周壁３４、５５、５６は、いずれも仕切材３６から該仕切材３６の厚さ方向両側に突出するリブ状になっている。
【００２１】
図７（ａ）、（ｂ）および図８（ａ）、（ｂ）は、蓋部材５２を示す。
図７（ａ）、（ｂ）および図８（ａ）、（ｂ）に示すように、蓋部材５２は、フレーム部５１の前記下壁部５６に装着される細長プレート状の取付板部５３と、該取付板部５３の長手方向に垂直な幅方向両側にそれぞれヒンジ部５７を介して回転自在に連結された１対の蓋３１、３２と、前記取付板部５３の長手方向一端部にヒンジ部６０を介して回転自在に連結された後蓋３３とを備えて構成されている。
【００２２】
この蓋部材５２は、取付板部５３を前記下壁部５６に装着することで、フレーム部５１に対して取り付けられる。モジュール本体３０は、前記下壁部５６に前記取付板部５３を装着して、蓋部材５２を取り付けることで組み立てられる。
前記蓋部材５２は、下壁部５６の下面５６ａ側に突設された係合片５６ｂに対して取付板部５３を係合することで、モジュール本体３０を構成するフレーム部５１に組み付けられる。図８（ａ）、（ｂ）において、具体的には、取付板部５３の長手方向複数箇所（図では３箇所）に連設された長穴５３ａを、前記下壁部５６の係合片５６ｂに挿入し、取付板部５３を下壁部５６の延在方向に沿ってスライド移動することで、前記長穴５３ａの長手方向一端部内面にフランジ状に突設された係合部５３ｂに前記係合片５６ｂを係合せしめる。取付板部５３側の係合部５３ｂは、下壁部５６からの係合片５６ｂの突出先端から張り出された張出部５６ｃと前記下壁部５６との間に確保された隙間に嵌合されるため、取付板部５３は下壁部５６に対してぐらつくことなく安定に装着される。これにより、取付板部５３が下壁部５６に対して一体的に装着され、蓋部材５２全体がフレーム部５１に落下しないように取り付けられたことになる。取付板部５３を下壁部５６に対して逆方向にスライド移動することで、長穴５３ａの長手方向他端部の通過穴５３ｃを下壁部５６の係合片５６ｂに対して位置決めすると、下壁部５６の係合片５６に対する取付板部５３の係合部５３ｂの係合が解除され、係合片５６ｂを長穴３ａから抜き出すようにして、下壁部５６に対して取付板部５３を離脱できる。これにより、モジュール本体３０から蓋部材５２を簡単に分離できる。
【００２３】
蓋３１、３２、３３は、それぞれ開閉自在であり、図１（ａ）、（ｂ）に示すように、これら蓋３１、３２および後蓋３３をフレーム部５１に対して装着することで、モジュール本体３０全体がケース状に組み立てられる。
蓋３１は出力側収納空間２１を開閉する蓋として機能し、蓋３２は入力側収納空間２２を開閉する蓋として機能するものであり、これら蓋３１、３２の開閉操作によって、収納空間２１、２２を個別に開閉することができる。また、蓋３１、３２は、収納空間２１、２２を塞ぐ側壁部自体、モジュール本体３０の厚さ方向の両側壁部自体を構成しているため、これら蓋３１、３２を開放すると、収納空間２１、２２全体が露出される。
【００２４】
図４（ａ）、（ｂ）に示すように、各蓋３１、３２は、前記ヒンジ部５７から最も離間された端部に設けられたラッチ５８を、上壁部５５に設けられた係止部５９（図２、図６参照）に係合することで、閉状態（図４（ａ）中仮想線）を維持することができる。前記ラッチ５８は前記係止部５９に対して係脱自在であり、前記閉状態でもモジュール本体３０外側に露出しているレバー部５８ａの操作によって前記係止部５９との係合を解除することで、簡単に開放することができる。
【００２５】
図６に示すように、後蓋３３は、取付板部５３に対してヒンジ部６０を介して回転自在に連結されており、このヒンジ部６０を中心とする回転によって、モジュール本体３０後端部を開閉するようになっている。この後蓋３３は、前記ヒンジ部６０から最も離間された端部に設けられたラッチ６１を、上壁部５５に設けられた係止部６２に係合することで、閉状態（図２実線、図６（ａ）中仮想線）を維持することができる。前記ラッチ６１は前記係止部６２に対して係脱自在であり、前記閉状態でもモジュール本体３０外側に露出しているレバー部６１ａの操作によって前記係止部６２との係合を解除することで、簡単に開放することができる。
【００２６】
本実施の形態において、モジュール本体３０を構成するフレーム部５１並びに蓋部材５２はそれぞれ、全体がプラスチック等の合成樹脂からなる一体成形品である。図４（ｂ）に示すように、前記ヒンジ部５７は、取付板部５３と蓋３１、３２間の境界の肉厚を薄くした部分である。また、後蓋３３のヒンジ部６０についても同様の薄肉部を採用している。
なお、本発明においては、ヒンジ部５７、６０は、樹脂製モジュール本体３０の薄肉部に限定されず、例えば、取付板部５３と蓋３１、３２の一方に成形した軸部に他方の係合部を回転自在に係合する構成、取付板部５３と蓋３１、３２とをピン等の別部品を介して連結した構成等、各種構成が採用可能である。但し、低コスト化、部品点数の削減等の面では、全体が合成樹脂から一体成形された蓋部材５２、並びに、その薄肉部からなるヒンジ部５７、６０を採用することが有利である。
【００２７】
この光モジュール２０によれば、両蓋３１、３２を開放すれば、両側の収納空間２１、２２を同時に開放することができ、両側の収納空間２１、２２を対照しながら作業を進めることが可能になり、作業性を向上できる。しかも、各収納空間２１、２２のいずれの側にも、仕切材３６の連通穴３６ａが露出されるため、連通穴３６ａに対する光ファイバ４１（詳細には分岐光ファイバ４１ｂ）の挿通、取り出し（抜き取り）等を伴う作業を行う場合であっても、作業性を向上できる。
仕切材３６において後蓋３３に臨む端部に形成された連通穴３６ａは、後蓋３３によって一側部が開閉されるようになっており、後蓋３３を開放するとその一側部が開放されるため、両蓋３１、３２に加えて後蓋３３を開放することで、連通穴３６ａに対する光ファイバ４１（詳細には分岐光ファイバ４１ｂ）の挿通、取り出し等の作業を自由に行えるようになるから、両収納空間２１、２２に連通される光ファイバ４１が関与する作業を一層効率良く行うことができる。
【００２８】
蓋３１、３２、３３を開放しても、蓋部材５２は、下壁部５６の係合片５６ａに対する取付板部５３の係合状態が解除されない限り、モジュール本体３０から分離して落下するといった心配が無い。両蓋３１、３２並びに後蓋３３は、蓋部材５２として連続した１部品になっているため、開放しても分離しないから、開放時の落下による破損、紛失等の不都合が生じない。しかも、これら蓋３１、３２、３３は、フレーム部５１側の係止部５９、６２に対するラッチ５８、６１の操作によって簡単に開閉できるから、これにより、開閉に掛かる作業時間の短縮等も実現できる。
【００２９】
図１（ａ）、（ｂ）、図４（ａ）、（ｂ）に示すように、モジュール本体３０のコネクタ取付壁３４に開口されたコネクタ穴３４ａの一側部は、一方の蓋３１によって開閉されるようになっており、この蓋３１を開放することで開放され、前記光コネクタ４０の収納、取り出し等の作業を行うことができる。したがって、モジュール本体３０の外で、光コネクタ４０に対する光ファイバ４１（詳細には分岐光ファイバ４１ｂ）等の光ファイバのコネクタ接続作業や、光ファイバがコネクタ接続される各光コネクタ４０のハウジング４０ａ（後述）内部の清掃（例えば内部の割りスリーブの清掃）等を効率良く行えるといった利点もある。
【００３０】
つまり、光コネクタ４０は、スリーブ状のハウジング４０ａの対向する両側部に突出された１対の取付片４０ｂを備えており、図３（ａ）、（ｂ）に示すように、コネクタ穴３４ａ近傍にて仕切材３６に形成された溝状のコネクタ位置決め穴３６ｂに、一方の取付片４０ｂを嵌め込み、他方の取付片４０ｂを、蓋３１に形成された溝状のコネクタ位置決め穴３１ａに嵌め込んで、所定位置に安定に実装されるようになっている。図５（ａ）、（ｂ）に示すように、光コネクタ４０の両側の取付片４０ｂには穴４０ｃが穿設されており、仕切材３６の前記コネクタ位置決め穴３６ｂに嵌め込んだ取付片４０ｂの穴４０ｃを、仕切材３６の前記コネクタ位置決め穴３６ｂ内面に突設された嵌合突起３６ｃに離脱可能に嵌め込むことで、光コネクタ４０が安定支持される。蓋３１側のコネクタ位置決め穴３１ａには、光コネクタ４０の他方の取付片４０ｂの穴４０ｃに嵌め込まれる嵌合突起は無く、蓋３１を開放すると、コネクタ位置決め穴３１ａから取付片４０ｂが引き抜かれ、フレーム５１（詳細には仕切材３６）側に支持された光コネクタ４０が露出される。
モジュール本体３０の蓋３１を開放し、光コネクタ４０を強く引いて、仕切材３６の前記コネクタ位置決め穴３６ｂから取付片４０ｂを抜き出すだけで、モジュール本体３０から光コネクタ４０を簡単に取り出すことができる。そして、モジュール本体３０から取り出した光コネクタ４０から、該光コネクタ４０に接続されていた光ファイバ４１先端の光コネクタ４２を引き抜くことで、モジュール本体３０外の充分な作業スペースが確保できる場所にて、光コネクタ４０内の清掃等の作業を効率良く行える。
また、蓋３１を開放しておけば、仕切材３６の前記コネクタ位置決め穴３６ｂに取付片４０ｂを押し込んで嵌め込むだけで、光コネクタ４０の実装を容易に行えることは言うまでも無い。
なお、フレーム部５１側のコネクタ位置決め穴の形成位置は、仕切材３６に限定されず、フレーム部５１のコネクタ取付壁３４近傍の何処でも良い。
【００３１】
図１（ａ）に示す引留部品３８は、蓋３１とは逆の蓋３２を開放することで配線穴３５の側部を開放できることから、これにより、配線穴３５に対する収納、取り出し、交換等の作業を簡便に行える。
【００３２】
なお、本発明は、前記実施の形態に限定されず、各種変更が可能である。
例えば、前記実施の形態では、モジュール本体３０の側壁部３１、３２全体、後壁部３３全体が、それぞれ開閉自在の蓋として機能する構成を例示したが、本発明はこれに限定されず、例えば、モジュール本体の両側の各側壁部の一部、後壁部の一部が開閉自在の蓋として機能する構成も採用可能である。また、両側壁部全体または１部を開閉する蓋、後壁部の全体または１部を開閉する蓋としては、前述の蓋部材５２を構成するものに限定されず、モジュール本体の一部分をヒンジによって回転自在に連結した蓋として機能させる構成も採用可能である。但し、モジュール本体から離脱可能な蓋部材５２であれば、モジュール本体から離脱してしまえば邪魔にならず、仕切材を介して両側の収納空間や連通穴に対する光ファイバの収納、取り出し等の作業に干渉しなくなるので、優れた作業性が得られるので、この点で有利である。
【００３３】
仕切材としては、フレーム部５１を構成する固定の仕切壁に限定されず、例えば、モジュール本体から取り出し可能なシート、プレート等であっても良い。取り出し可能な部材からなる仕切材を採用した場合は、例えば、前記実施の形態記載の枠状の外周壁３７自体をフレーム部として機能させる。但し、部品点数の削減、製造コストの低減の点では、フレーム部を構成する固定の仕切壁を仕切材として、フレーム部全体が樹脂により一体成形される１部品である構成とすることが有利である。
仕切材は、１枚に限定されず、モジュール本体内部に複数枚並行に設けて、３以上の収納空間を形成しても良い。この場合も、両側開放可能なモジュール本体を備えた構成により、少なくとも両端に位置する収納空間での作業性を向上することができる。
モジュール本体内に収納される光ファイバとしては、端末が分岐部４３を介して複数本の分岐光ファイバ４１ｂに分岐された前記光ファイバ４１に限定されず、例えば、全く分岐されないで１対１で光コネクタ（光コネクタアダプタである光コネクタ４０等）に接続される光ファイバ等、各種構成が採用可能である。
また、この光ファイバとしては、例えば、光コネクタ４０に接続された内部光ファイバとの融着接続やコネクタ接続等により、光コネクタ４０と接続され、コネクタ接続可能に成端されるものであっても良い。この場合、融着接続部や光コネクタ等の光接続部は、収納空間２１内に設けられた光部品ホルダ２４、２５に保持して収納空間２１内に安定収納する。
【００３４】
【発明の効果】
以上説明したように、本発明の光モジュールによれば、モジュール本体の対向する両側の側壁部にそれぞれ設けられた開閉自在の蓋によって、両側を開放できるから、モジュール本体内部での作業を効率良く行うことができる。特に、モジュール本体内部が仕切材によって複数の収納空間に仕切られている場合では、モジュール本体の両側を開放することで、仕切材を介して両側の収納空間の作業を対照しながら行うことが可能になり、作業性を向上できる。また、仕切材を介して複数の収納空間に光ファイバを連通させる作業や、このような光ファイバの取り出し等の作業を効率良く行うことができる。さらに、モジュール本体の後壁部に開閉自在に設けられた蓋を開放することで、前記連通穴に対する作業性の一層の向上が可能であるといった優れた効果を奏する。
【図面の簡単な説明】
【図１】  本発明に係る光モジュールを示す図であって、（ａ）は正面図、（ｂ）は光コネクタ４０側から見た側面図である。
【図２】  （ａ）は、図１（ｂ）においてモジュール本体の側壁部である蓋を開放した状態を示す正面図、（ｂ）は押え片近傍を示す拡大斜視図である。
【図３】  （ａ）は光モジュールを示す平断面図、（ｂ）は図２（ａ）に対向する反対側の収納空間の内部構造を示す背面図である。
【図４】  モジュール本体の対向する両側の側壁部である蓋を開放した状態を示す図であって、（ａ）は光コネクタ側から見た側面図、（ｂ）はヒンジ部近傍を示す拡大図である。
【図５】  （ａ）は本発明に係る光モジュールのモジュール本体に実装される光コネクタアダプタを示す斜視図、（ｂ）は、（ａ）の光コネクタアダプタの両側の取付片に穿設された穴と、モジュール本体側の仕切材並びに一方の蓋に形成された嵌合突起との嵌合状態を示す平断面図である。
【図６】  モジュール本体後壁部である蓋（後蓋）を開放した状態を示す正面図である。
【図７】  モジュール本体を構成する蓋部材を示す図であって、（ａ）は展開した状態を示す平面図、（ｂ）は（ａ）の側面図である。
【図８】  モジュール本体を構成する蓋部材を示す図であって、（ａ）は展開した状態を示す正断面図、（ｂ）は取付板部に開口された長穴を示す下面図である。
【図９】  従来例の光モジュールを示す図であって、（ａ）は平面図、（ｂ）は正面図、（ｃ）は光コネクタ側から見た側面図である。
【符号の説明】
２０…光モジュール、２１…収納空間（出力側収納空間）、２２…収納空間（入力側収納空間）、３０…モジュール本体、３１，３２…側壁部，蓋、３３…モジュール本体後壁部，蓋（後蓋）、３６…仕切材（仕切壁）、３６ａ…連通穴、４０…光コネクタ（光コネクタアダプタ）、４１…光ファイバ（多心光ファイバコード）、４１ｂ…分岐光ファイバ、５７，６０…ヒンジ部。
【図１】
0004159728.tif 000002
【図２】
0004159728.tif 000003
【図３】
0004159728.tif 000004
【図４】
0004159728.tif 000005
【図５】
0004159728.tif 000006
【図６】
0004159728.tif 000007
【図７】
0004159728.tif 000008
【図８】
0004159728.tif 000009
【図９】
0004159728.tif 000010